(57)【特許請求の範囲】
【請求項１】
底板と側壁を備えた第１ケースと、天板と側壁を備えた第２ケースと、を上下に組み合わせて構成し、制御基板を内部スペースに収容する遊技機用制御基板ケースであって、
上記第１ケースと上記第２ケースのそれぞれに、
上記側壁から外部に突出するとともに、接着して組み付け状態を保持する接着保持部を構成する接着構成部を形成し、
上記第１ケース側の接着構成部に、組み付け方向のうち上方が開口する凹状で、接着剤を貯留可能な接着剤貯留部を形成し、
上記第２ケース側の接着構成部に、凹状の上記接着剤貯留部に対して、上方から挿入可能な挿入接着部を形成し、
上記挿入接着部は、板状の連結部を介して上記第２ケース側の側壁に連結されるとともに、当該連結部の外側下面から下方に突出しており、
上記凹状の接着剤貯留部において、上記内部スペース側に位置する貯留内側壁部の突出高さを、上記挿入接着部の上記連結部からの突出高さよりも高く形成し、
上記第１ケースと上記第２ケースの組み付け時には、上記貯留内側壁部の上面と、上記連結部の下面とが上記連結部の長手方向全体にわたって当接することで、上記接着剤貯留部に貯留される接着剤の上記内部スペース側への移動が規制され、且つ、
上記貯留内側壁部と、上記連結部の根本部との間には、上記貯留内側壁部の上面と上記連結部の下面との間に侵入する接着剤の上記根本部への到達を防止する逃がし隙間が上記連結部の長手方向全体にわたって形成されていることを特徴とする遊技機用制御基板ケース。
【請求項２】
底板と側壁を備えた第１ケースと、天板と側壁を備えた第２ケースと、を上下に組み合わせて構成し、制御基板を内部スペースに収容する遊技機用制御基板ケースであって、
上記第１ケースと上記第２ケースのそれぞれに、
上記側壁から外部に突出するとともに、接着して組み付け状態を保持する接着保持部を構成する接着構成部を形成し、
上記第１ケース側の接着構成部に、組み付け方向のうち上方が開口する凹状で、接着剤を貯留可能な接着剤貯留部を形成し、
上記第２ケース側の接着構成部に、凹状の上記接着剤貯留部に対して、上方から挿入可能な挿入接着部を形成し、
上記挿入接着部は、板状の連結部を介して上記第２ケース側の側壁に連結されるとともに、当該連結部の外側下面から下方に突出しており、
上記凹状の接着剤貯留部において、上記内部スペース側に位置する貯留内側壁部の突出高さを、上記挿入接着部の上記連結部からの突出高さよりも高く形成し、
上記第１ケースと上記第２ケースの組み付け時には、上記貯留内側壁部の上面と、上記連結部の下面とが当接することで、上記接着剤貯留部に貯留される接着剤の上記内部スペース側への移動が規制され、且つ、
上記貯留内側壁部と、上記連結部の根本部との間には、上記貯留内側壁部の上面と上記連結部の下面との間に侵入する接着剤の上記根本部への到達を防止する逃がし隙間が形成され、
上記貯留内側壁部の頂部のうち、上記接着剤に臨む外端部がほぼ直角に形成されている一方、上記逃がし隙間に臨む内端部が、当該頂部と上記連結部との間隔が上記逃がし隙間側に向かって漸次拡大していくように形成されていることを特徴とする
遊技機用制御基板ケース。
【請求項３】
底板と側壁を備えた第１ケースと、天板と側壁を備えた第２ケースと、を上下に組み合わせて構成し、制御基板を内部スペースに収容する遊技機用制御基板ケースであって、
上記第１ケースと上記第２ケースのそれぞれに、
上記側壁から外部に突出するとともに、接着して組み付け状態を保持する接着保持部を構成する接着構成部を形成し、
上記第１ケース側の接着構成部に、組み付け方向のうち上方が開口する凹状で、接着剤を貯留可能な接着剤貯留部を形成し、
上記第２ケース側の接着構成部に、凹状の上記接着剤貯留部に対して、上方から挿入可能な挿入接着部を形成し、
上記挿入接着部は、板状の連結部を介して上記第２ケース側の側壁に連結されるとともに、当該連結部の外側下面から下方に突出しており、
上記凹状の接着剤貯留部において、上記内部スペース側に位置する貯留内側壁部の突出高さを、上記挿入接着部の上記連結部からの突出高さよりも高く形成し、
上記第１ケースと上記第２ケースの組み付け時には、上記貯留内側壁部の上面と、上記連結部の下面とが当接することで、上記接着剤貯留部に貯留される接着剤の上記内部スペース側への移動が規制され、且つ、
上記挿入接着部のうち、上記内部スペースの反対側の部位に上下方向に貫通する接着剤案内溝を形成したことを特徴とする遊技機用制御基板ケース。
【請求項４】
上記請求項１〜３のいずれか一つに記載の遊技機用制御基板ケースを備えた遊技機。
【発明の詳細な説明】
【技術分野】
【０００１】
この発明は、例えば、内部の収容部に制御基板を保持する遊技機用制御基板ケースと、該遊技機用制御基板ケースを備えた遊技機に関する。
【背景技術】
【０００２】
例えば、スロットマシンなどの遊技機は、その制御に供するＲＯＭなどが配された制御基板をケースの内部に収容して、遊技機の内部に配設することが一般的である。  
このような制御基板を収容するケース（以下、遊技機用制御基板ケースと称する。）は、正規の制御基板と不正な制御基板とを取り換えたりすることなどの不正行為を防止するために、高い封止力が求められる。このような高い封止力を備えた遊技機用制御基板ケースとして、例えば、特許文献１に記載の基板ケースが提案されている。
【０００３】
特許文献１に記載の基板ケース（遊技機用制御基板ケース）は、それぞれ透明な合成樹脂によって形成されたベース部材とカバー部材（第１ケースと第２ケース）とを組み合わせて構成した略直方体の形状であり、内部に基板（制御基板）を収納可能な空間を有している。
【０００４】
また、この基板ケースは、ベース部材の対向する長辺に、長辺側の外周縁から外方に突出する平面視長方形状の板状の第１フランジを備え、カバー部材における、ベース部材の第１フランジと対応する位置に、第２フランジを備えている。
【０００５】
そして、これらベース部材とカバー部材とは、互いに組み付けた状態で、第１フランジと第２フランジとをねじ止めするとともに、第１フランジと第２フランジとの隙間に接着剤を流し込んで強固に固定できるとされている。
【０００６】
ところで、例えば、遊技機の制御基板は、各遊技機メーカーにスロットマシンごと回収され、新機種に応じた新たなプログラムを書き込んで再利用を図ることがあるが、特許文献１に記載の基板ケースは、第１フランジと第２フランジとが対向する面同士を上述するように強固に固定しているため、制御基板を回収することが困難であった。
【０００７】
具体的には、特許文献１に記載の基板ケースにおける第１フランジおよび第２フランジは、ケース本体側の端部まで接着剤で固定されているため（特許文献１の図６参照。）、第１フランジおよび第２フランジを切断しても、基板ケースの開封は困難である。
【０００８】
仮に、接着剤で固定されていない基板ケース本体を切断する場合であっても、基板ケースの内部に収容している制御基板に、基板ケースを切断する際に発生した基板ケースの破片が接触したり、切断に用いる工具が接触することで、制御基板が傷付き、制御基板を再利用する際に、正常に動作しないおそれがあった。
【先行技術文献】
【特許文献】
【０００９】
【特許文献１】特開２００６−０８７８０６号公報
【発明の概要】
【発明が解決しようとする課題】
【００１０】
本発明は、上記課題を鑑みて案出されたものであって、制御基板を傷付けることなく安全に回収することができる遊技機用制御基板ケースを提供することを目的とする。
【課題を解決するための手段】
【００１１】
請求項１に記載の発明は、底板と側壁を備えた第１ケースと、天板と側壁を備えた第２ケースと、を上下に組み合わせて構成し、制御基板を内部スペースに収容する遊技機用制御基板ケースであって、上記第１ケースと上記第２ケースのそれぞれに、上記側壁から外部に突出するとともに、接着して組み付け状態を保持する接着保持部を構成する接着構成部を形成し、上記第１ケース側の接着構成部に、組み付け方向のうち上方が開口する凹状で、接着剤を貯留可能な接着剤貯留部を形成し、上記第２ケース側の接着構成部に、凹状の上記接着剤貯留部に対して、上方から挿入可能な挿入接着部を形成し、上記挿入接着部は、板状の連結部を介して上記第２ケース側の側壁に連結されるとともに、当該連結部の外側下面から下方に突出しており、上記凹状の接着剤貯留部において、上記内部スペース側に位置する貯留内側壁部の突出高さを、上記挿入接着部の上記連結部からの突出高さよりも高く形成し、上記第１ケースと上記第２ケースの組み付け時には、上記貯留内側壁部の上面と、上記連結部の下面とが上記連結部の長手方向全体にわたって当接することで、上記接着剤貯留部に貯留される接着剤の上記内部スペース側への移動が規制され、且つ、上記貯留内側壁部と、上記連結部の根本部との間には、上記貯留内側壁部の上面と上記連結部の下面との間に侵入する接着剤の上記根本部への到達を防止する逃がし隙間が上記連結部の長手方向全体にわたって形成されていることを特徴としている。
【００１２】
したがって、少なくとも請求項１に記載の発明によれば、上記第１ケースと上記第２ケースの組み付け時には、上記貯留内側壁部の上面と、上記連結部の下面とが上記連結部の長手方向全体にわたって当接することで、上記接着剤貯留部に貯留される接着剤の上記内部スペース側への移動が規制されることから、接着保持部は、接着構成部同士が接着している接着部分と、接着構成部同士が接着していない非接着部分とに上記連結部の長手方向全体にわたって区分されることになる。
【００１３】
これにより、第１ケースと第２ケースとの組み付け状態において、非接着部分を切断するだけで第１ケースと第２ケースとを分解できる。  
また、上記貯留内側壁部と、上記連結部の根本部との間には、上記貯留内側壁部の上面と上記連結部の下面との間に侵入する接着剤の上記根本部への到達を防止する逃がし隙間が上記連結部の長手方向全体にわたって形成されているため、第１ケースと第２ケースとの組み付け時に、貯留内側壁部の上面と、上記連結部の下面との間に、硬化前の接着剤が侵入した場合であっても、連結部の根本部分まで接着されるのを上記連結部の長手方向全体にわたって防止することができる。
【００１４】
この場合において、第１ケースと第２ケースとの組み付け時に、貯留内側壁部の上面と、上記連結部の下面との間に、硬化前の接着剤の侵入の防止を図ると同時に、貯留内側壁部の上面と、上記連結部の下面との間に、硬化前の接着剤が侵入した場合に当該接着剤を円滑に上記逃がし隙間に案内させる上では、請求項２に記載のように、上記貯留内側壁部の頂部のうち、上記接着剤に臨む外端部をほぼ直角に形成する一方、上記逃がし隙間に臨む内端部を、当該頂部と上記連結部との間隔が上記逃がし隙間側に向かって漸次拡大していくように形成することが望ましい。
【００１５】
また、硬化前の接着剤の、貯留内側壁部の上面と、上記連結部の下面との間への移動を抑制する上では、請求項３に記載のように、底板と側壁を備えた第１ケースと、天板と側壁を備えた第２ケースと、を上下に組み合わせて構成し、制御基板を内部スペースに収容する遊技機用制御基板ケースであることを前提とし、上記第１ケースと上記第２ケースのそれぞれに、上記側壁から外部に突出するとともに、接着して組み付け状態を保持する接着保持部を構成する接着構成部を形成し、上記第１ケース側の接着構成部に、組み付け方向のうち上方が開口する凹状で、接着剤を貯留可能な接着剤貯留部を形成し、上記第２ケース側の接着構成部に、凹状の上記接着剤貯留部に対して、上方から挿入可能な挿入接着部を形成し、上記挿入接着部は、板状の連結部を介して上記第２ケース側の側壁に連結されるとともに、当該連結部の外側下面から下方に突出しており、上記凹状の接着剤貯留部において、上記内部スペース側に位置する貯留内側壁部の突出高さを、上記挿入接着部の上記連結部からの突出高さよりも高く形成し、上記第１ケースと上記第２ケースの組み付け時には、上記貯留内側壁部の上面と、上記連結部の下面とが当接することで、上記接着剤貯留部に貯留される接着剤の上記内部スペース側への移動が規制され、且つ、上記挿入接着部のうち、上記内部スペースの反対側の部位に上下方向に貫通する接着剤案内溝を形成することが望ましい。
【発明の効果】
【００１６】
請求項１に記載の発明によれば、第１ケースと第２ケースとの組み付け状態において、非接着部分を切断するだけで第１ケースと第２ケースとを分解でき、制御基板を傷付けることなく安全に回収することができる。  
さらに、第１ケースと第２ケースとの組み付け時に、貯留内側壁部の上面と、連結部の下面との間に、硬化前の接着剤が侵入した場合であっても、連結部の根本部分まで接着されるのを防止でき、これによってもまた、非接着部分を十分に確保できる。
【００１７】
請求項２に記載の発明によれば、第１ケースと第２ケースとの組み付け時に、貯留内側壁部の上面と、上記連結部の下面との間に、硬化前の接着剤の侵入の防止を図ると同時に、貯留内側壁部の上面と、上記連結部の下面との間に、硬化前の接着剤が侵入した場合に当該接着剤を円滑に上記隙間に案内させることができるため、これによってもまた、非接着部分を十分に確保できる。
【００１８】
請求項３に記載の発明によれば、硬化前の接着剤の、貯留内側壁部の上面と、上記連結部の下面との間への移動を抑制できるため、これによってもまた、非接着部分を十分に確保できる。
【図面の簡単な説明】
【００１９】
【図１】スロットマシンを示す正面図である。
【図２】スロットマシンの前扉を開放した状態の斜視図である。
【図３】図２に示すサブ制御ユニット単体での斜視図である。
【図４】図３に示すサブ制御ユニットの分解図である。
【図５】図３に示す要部αの拡大図であって、接着フランジ部の平面図である。
【図６】図５に示す接着フランジ部の端面図であって、（ａ）は図５のＡ−Ａ線に沿った図、（ｂ）は図５のＢ−Ｂ線に沿った図、（ｃ）は図５のＣ−Ｃ線に沿った図である。
【図７】図４に示す要部βの拡大図であって、ベースフランジの斜視図である。
【図８】図４に示す要部θの拡大図であって、カバーフランジの斜視図である。
【図９】図５に示す接着フランジ部の接着工程を示す断面図であって、接着剤を貯留した状態のベースフランジにカバーフランジが近づいていく図である。
【図１０】図９のカバーフランジがベースフランジに着座する直前の状態を示す図である。
【図１１】図１０のカバーフランジおよびベースフランジの端面図であって、（ａ）は図１０のＡ−Ａ線に沿った図、（ｂ）は図１０のＢ−Ｂ線に沿った図、（ｃ）は図１０のＣ−Ｃ線に沿った図である。
【図１２】図９のカバーフランジがベースフランジに着座した状態を示す断面図であって、図５のＤ−Ｄ線に沿った断面図である。
【図１３】図５に示す接着フランジ部の切断工程を示す斜視図であって、（ａ）は切断工程におけるサブ制御ユニット単体での斜視図、（ｂ）は（ａ）に示す要部φ１の拡大図、（ｃ）は（ａ）の要部φ２の拡大図である。
【図１４】図６に示す溶着フランジ部の変形例を示す図である。
【発明を実施するための形態】
【００２０】
この発明の一実施形態を、以下図面を用いて説明する。  
まず、スロットマシン１（特許請求の範囲の記載における遊技機に相当する）の構成について、図１および図２を用いて説明する。  
図１は、スロットマシン１の正面図を示し、図２は、スロットマシン１の前扉２０を開放した状態の斜視図を示している。
【００２１】
スロットマシン１は、図１に示すように、正面視略長方形の箱状体であって、図２に示すように、利用者と対面する面が開口した筐体本体１０と、該筐体本体１０の開口する面を開閉自在に塞ぐ前扉２０とから構成されている。
【００２２】
筐体本体１０の内部には、メイン制御ユニット１１、サブ制御ユニット１２、リールユニット１３、メダル払出装置１４、および電源制御装置１５などが備えられている。
【００２３】
メイン制御ユニット１１は、各種機器と電気的に接続されており、例えば、各種機器からの信号の入出力により、入賞などの抽選を行ったり、リールユニット１３の回転、停止を制御する機能を有している。
【００２４】
サブ制御ユニット１２は、メイン制御ユニット１１および各種機器と電気的に接続されており、例えば、メイン制御ユニット１１からの入力信号により、各種演出動作を決定して、液晶制御装置への制御信号を出力する機能を有している。
【００２５】
リールユニット１３は、電気的に接続されたメイン制御ユニット１１による制御によって独立して回転、停止する、複数の図柄がプリントされた３つのリール１３ａで構成されている。  
メダル払出装置１４は、遊技の進行に応じてメダルを貯留、排出する装置であり、溢れたメダルを貯留する補助タンク（図示省略）を備えている。  
電源制御装置１５は、外部から供給される電力を制御するとともに、上述した各部に電力を供給する装置である。
【００２６】
一方、前扉２０における利用者と対面する表面部分は、液晶モニタ２１、２つの上部スピーカー２２、表示窓２３、操作部２４、パネル部２５、２つの下部スピーカー２６、メダル排出口２７、および受け皿２８で構成しており、前扉２０の裏面部分には、メダルセレクター２９を配置している。
【００２７】
モニタ２１は、液晶制御装置が電気的に接続したサブ制御ユニット１２からの制御信号に基づいて、遊技に応じた画面情報を出力する。  
上部スピーカー２２は、メイン制御ユニット１１から出力された音声信号を出力する。
【００２８】
表示窓２３は、筐体本体１０に備えたリールユニット１３の一部分やクレジット枚数の表示などを視認可能な透明部分（図示省略）と、入賞ラインなどをプリントした不透明部分（図示省略）とを一体にして構成されている。
【００２９】
操作部２４は、メイン制御ユニット１１と電気的に接続するとともに、メダル投入口２４ａ、ＭＡＸＢＥＴボタン２４ｂ、投入精算ボタン２４ｃ、スタートレバー２４ｄ、および３つのストップボタン２４ｅで構成されている。
【００３０】
メダル投入口２４ａは、利用者によるメダルの投入を受け付ける投入口であり、投入されたメダルをメダルセレクター２９に案内する。  
ＭＡＸＢＥＴボタン２４ｂは、一回の遊技におけるメダルの最大賭け数を、獲得したメダル枚数をデータとして蓄積しているクレジットからセットすることを所望する利用者の操作を受け付けるボタンである。
【００３１】
投入精算ボタン２４ｃは、利用者による押下操作によって、一回の遊技におけるメダルの賭け数を、クレジットから一枚ずつセットする投入ボタン（図示省略）と、クレジットに貯留されているメダルを精算して排出する精算ボタン（図示省略）とで構成されている。
【００３２】
スタートレバー２４ｄは、リールユニット１３を構成する３つのリール１３ａの回転開始を所望する利用者の操作を受け付けるレバーである。  
３つのストップボタン２４ｅは、リールユニット１３の３つのリール１３ａにそれぞれ対応しており、対応するリール１３ａの回転、停止を所望する利用者の操作を受け付けるボタンである。
【００３３】
パネル部２５は、スロットマシン１の機種名を示すイラストなどのパネルと、パネルを照明するバックライトなどで構成されている。  
下部スピーカー２６は、サブ制御ユニット１２から出力された音声信号を出力する。
【００３４】
メダル排出口２７は、前扉２０の裏面に配置したメダルセレクター２９やメダル払出装置１４から搬送されたメダルを受け皿２８に排出する排出口である。  
受け皿２８は、メダル排出口２７から排出されたメダルを貯留可能に構成されている。
【００３５】
メダルセレクター２９は、投入されたメダルを検出する機能と、メダルを選別する機能と、選別したメダルに応じて、メダル払出装置１４やメダル排出口２７に排出する機能とを有している。
【００３６】
このような構成のスロットマシン１は、利用者が一回の遊技における最大賭け数のメダルをメダル投入口２４ａに投入する、あるいはＭＡＸＢＥＴボタン２４ｂを押下操作して、一回の遊技におけるメダルの最大賭け数をクレジットからセットする。
【００３７】
そして、スロットマシン１は、利用者によるスタートレバー２４ｄの操作を検知すると、メイン制御ユニット１１が、入賞か否かの抽選を行い、この抽選結果をサブ制御ユニット１２に出力し、サブ制御ユニット１２が、抽選結果に基づいた各種演出を決定する。
【００３８】
その後、スロットマシン１は、メイン制御ユニット１１が３つのリール１３ａの回転を開始させるとともに、サブ制御ユニット１２が各種演出をモニタ２１に出力し、利用者が３つのストップボタン２４ｅを任意のタイミング、あるいは各種演出で指定された順番で押下することで、ストップボタン２４ｅに対応したリール１３ａが停止する。
【００３９】
リール１３ａにプリントされた図柄が揃えば、図柄に応じてメダルがクレジットに貯留される、あるいはメダル排出口２７から排出される。このようにして、利用者は、スロットマシン１における遊技を楽しむ。
【００４０】
なお、サブ制御ユニット１２は、メイン制御ユニット１１から送られた抽選結果に基づいて遊技が利用者にとって有利となる情報を提供する状態、いわゆる、ＡＴ（アシストタイム）に移行するか否かの抽選を行い、この抽選に当選すると、例えば、３つのストップボタン２４ｅを押下する順番をモニタ２１に表示する。そして、利用者がこの順番通りにストップボタン２４ｅを押下するとリール１３ａにプリントされた図柄が揃うことになる。
【００４１】
続いて、サブ制御ユニット１２の構成について、図３から図８を用いて説明する。  
図３は、図２に示したサブ制御ユニット１２単体での斜視図であり、図４は、図３に示すサブ制御ユニット１２の分解図である。図５は、図３の要部αで示す接着フランジ部３５の拡大平面図である。
【００４２】
図６は、図５に示す接着フランジ部３５の端面図であって、（ａ）はそのＡ−Ａ線に沿った図、（ｂ）はそのＢ−Ｂ線に沿った図、（ｃ）はそのＣ−Ｃ線に沿った図である。図７は、図４の要部βで示すベースフランジ４３の拡大斜視図である。図８は、図４の要部θで示すカバーフランジ４４の拡大斜視図である。
【００４３】
サブ制御ユニット１２は、図３，図４に示すように、平面視長方形の箱状に構成した制御基板ケース３０（特許請求の範囲の記載における遊技機用制御基板ケースに相当する）と、制御基板３１とから構成されている。
【００４４】
制御基板ケース３０は、ベース体３２（特許請求の範囲の記載における第１ケースに相当する）と、カバー体３３（特許請求の範囲の記載における第２ケースに相当する）とを上下方向に組み付けて構成される。
【００４５】
また、制御基板ケース３０は、その内部に制御基板３１を収容する収容部３４（特許請求の範囲の記載における内部スペースに相当する）を有し、ベース体３２とカバー体３３は、制御基板ケース３０の外周縁に設けられた接着フランジ部３５（特許請求の範囲の記載における接着保持部に相当する）によって強固に接着固定されている。
【００４６】
なお、本実施形態において、ベース体３２およびカバー体３３は、ＰＣ（ポリカーボネート）を射出成形して形成されているが、これに限定されず、例えば、ＡＢＳ（アクリロニトリル、ブタジエン、スチレン）等に代表される透明な熱可塑性合成樹脂系材料で構成してもよいし、例えば、光を透過する有色透明や半透明、または不透明などの合成樹脂系材料で構成してもよい。
【００４７】
ここで、平面視長方形の制御基板ケース３０において、ベース体３２とカバー体３３とを組み付ける方向を上下方向Ｈとし、該上下方向Ｈにおいて、ベース体３２側を下方Ｈｄとし、カバー体３３側を上方Ｈｕとする。  
なお、図３および図４において、手前に位置する長辺側と短辺側を一方とし、奥に位置する長辺側と短辺側を他方とする。
【００４８】
制御基板３１は、図４に示すように、平面視略長方形に形成されたプリント基板であり、ＣＰＵ３６が配置された板状の第１基板３７と、この第１基板３７よりも小さく形成されるとともにＲＯＭ３８やＲＡＭ３９が配置された第２基板４０と、から構成されている。  
なお、第２基板４０は、四隅に備えた支柱４１によって、この第１基板３７の略中央上側に、第１基板３７と離間した状態で固定されている。
【００４９】
ＲＡＭ３９は、メイン制御ユニット１１から送られた抽選結果を一時的に記憶するものであり、ＲＯＭ３８は、上記ＡＴ抽選の抽選データやこのＡＴ抽選に用いられるプログラム等を格納したものである。  
ＣＰＵ３６は、ＲＡＭ３９やＲＯＭ３８の情報に応じた処理を行うものである。
【００５０】
接着フランジ部３５は、図３に示すように、制御基板ケース３０における一方の短辺と、他方の長辺と、他方の短辺とのそれぞれに１つずつ形成されるとともに、一方の長辺に２つ形成されている。
【００５１】
また、この接着フランジ部３５は、図６（ａ）〜（ｃ）に示すように、ベースフランジ４３（特許請求の範囲の記載における第１ケース側の接着構成部に相当する）と、カバーフランジ４４（特許請求の範囲の記載における第２ケース側の接着構成部に相当する）と、を接着剤４２で接着して構成している。これらベースフランジ４３およびカバーフランジ４４の詳細については後に説明をする。
【００５２】
なお、本実施形態において、接着剤４２は、所定の粘性を有するとともに紫外線を照射することで硬化する液体タイプのものが採用されているが、これに限定されず、例えば、瞬間接着タイプのものを用いてもよく、例えば、粘性が高いジェル体などを用いてもよい。
【００５３】
また、接着フランジ部３５は、上述のように、制御基板ケース３０に複数形成されているが、それぞれ同様の構造となっているため、本実施形態においては、上記一方の長辺に形成された接着フランジ部３５についてのみ説明し、他の部位に形成された接着フランジ部３５については同一の符号を付すことで詳細な説明を省略している。
【００５４】
ベース体３２は、図４に示すように、制御基板３１を収容する収容構成部４６と、後述のカバーフランジ４４とともに接着フランジ部３５を構成するベースフランジ４３と、から大略構成されており、全体として上方Ｈｕが開放した箱状に形成されている。なお、図中の符号４５は、サブ制御ユニット１２をスロットマシン１の筐体本体１０に固定するための固定部である。
【００５５】
収容構成部４６は、平面視長方形状の底板４７と、この底板４７の外周縁から上方Ｈｕに突出したベース側側壁部４８と、から構成されている。  
底板４７は、サブ制御ユニット１２内の温度が上昇しないように換気可能に形成された複数の貫通孔４９と、該複数の貫通孔４９をまとめて囲む内部壁５０と、制御基板３１を下方Ｈｄから支持するリブ５１とを備えている。
【００５６】
ベース側側壁部４８は、底板４７の長手方向および短手方向に沿って連続しており、このベース側側壁部４８と底板４７とで囲むように収容構成空間３４ａが形成されている。なお、この収容構成空間３４ａは、ベース体３２とカバー体３３が組み合わさることで、後述するカバー体３３側の収容構成空間３４ｂとともに収容部３４を構成する。
【００５７】
また、ベース側側壁部４８は、底板４７の外周縁からほぼ垂直に突出した板状の内側壁４８ａと、この内側壁４８ａのほぼ板厚Ｔ１分（図６（ａ）γ１部参照）、内側壁４８ａよりも外側（反収容構成空間３４ａ側）にオフセットした板状の外側壁４８ｂ（特許請求の範囲の記載における貯留内側壁部に相当する）とから構成されている。
【００５８】
外側壁４８ｂは、その頂部５２が平面状に形成されており、当該頂部５２の板厚Ｔ３は、内側壁４８ａの板厚Ｔ１よりも大きく形成されている（Ｔ３＞Ｔ１）。
【００５９】
また、外側壁４８ｂは、その頂部５２の外端部５２ａがほぼ直角に形成されている一方、その頂部の内端部５２ｂが円弧状に形成されている。
【００６０】
さらに、外側壁４８ｂは、後述のフランジ底板５３からの高さＬ２が後述のカバーフランジ４４における後述の連結部６１からの高さＬ１よりも大きく形成されており（Ｌ２＞Ｌ１）、カバー体３３のベース体３２への組み付け時には、その頂部５２が平面状に形成された後述の連結部６１の下面６１ａと密着するように当接可能になっている。
【００６１】
そして、カバー体３３のベース体３２への組み付け時には、外側壁４８ｂと後述する連結部６１の根本部６１ｂとの間に、ほぼ板厚Ｔ１分に相当する間隔を有する隙間Ｃ５（特許請求の範囲における逃がし隙間に相当する）が確保されている。
【００６２】
ベースフランジ４３は、図６（ａ）〜（ｃ）および図７に示すように、外側壁４８ｂと、外側壁４８ｂから外側（反収容構成空間３４ａ側）に向けてほぼ直角に突出した平面視長方形状のフランジ底板５３と、このフランジ底板５３の外周縁から上方Ｈｕにほぼ垂直に突出した縦壁５４と、から構成されており、全体として上方Ｈｕが開口した箱状に形成されている。
【００６３】
縦壁５４は、平面視逆コ字状を呈するように、フランジ底板５３の長手方向および短手方向に沿って連続するとともに、この平面視逆コ字状の縦壁５４の開口を塞ぐように外側壁４８ｂが配置されており、縦壁５４と、フランジ底板５３と、外側壁４８ｂによって、ベースフランジ４３は、その上部に硬化前の接着剤４２を貯留可能になっている。換言すると、ベースフランジ４３は、その上部に、硬化前の接着剤４２を貯留可能な接着剤貯留部５５が形成されている。
【００６４】
フランジ底板５３は、先に述べたように、その平面視において長方形状を呈している一方で、その長手方向の縦断面形状が、その長手方向に沿って凹部と凸部とが交互に連続したいわゆる波形状に形成されている。（図９参照）
【００６５】
より具体的には、フランジ底板５３は、その長手方向の両端に位置するフランジ底板一般部５３ａと当該フランジ底板一般部５３ａよりもフランジ底板５３の板厚相当分、一段高く形成されたフランジ底板上段部５３ｂによって形成されるとともに、このフランジ底板上段部５３ｂには、下方Ｈｄに向けてフランジ底板５３の板厚相当分窪んだフランジ底板凹溝５３ｃが形成されている。（図９参照）
【００６６】
このフランジ底板凹溝５３ｃは、図７に示すように、フランジ底板上段部５３ｂの短手方向に連続するとともに、フランジ底板上段部５３ｂの長手方向に等間隔で形成されている。（図９参照）
【００６７】
カバー体３３は、図４に示すように、制御基板３１を収容する収容構成部５６と、ベースフランジ４３とともに接着フランジ部３５を構成するカバーフランジ４４（特許請求の範囲の記載における第２ケース側の接着構成部に相当する）と、から大略構成されており、全体として下方Ｈｄが開放した箱状に形成されている。なお、図中の符号５７は、固定部４５を封止する固定蓋部である。
【００６８】
収容構成部５６は、平面視長方形状の天板５８と、この天板５８の外周縁から下方Ｈｄにほぼ垂直に突出したカバー側側壁部５９（特許請求の範囲の記載における第２ケース側の側壁に相当する）と、から構成されている。  
天板５８は、底板４７における貫通孔４９と制御基板３１を挟んで対向する位置に、複数の通気口６０を備えており、底板４７における内部壁５０と制御基板３１を挟んで対向する位置に不正器具侵入防止壁（図示外）を備えている。
【００６９】
カバー側側壁部５９は、天板５８の長手方向および短手方向に沿って連続することにより平面視四角枠状を呈しており、このカバー側側壁部５９と天板５８とで囲むように収容構成空間３４ｂが形成されている。なお、この収容構成空間３４ｂは、ベース体３２とカバー体３３が組み合わさることでカバー体３３側の収容構成空間３４ａとともに、収容部３４を構成する。
【００７０】
そして、カバー側側壁部５９から外側に向けてカバーフランジ４４が突出形成されている。なお、ベース体３２とカバー体３３との組み付け状態において、カバー側側壁部５９は、ベース側側壁部４８の内側に重なるように配置されることとなる。
【００７１】
カバーフランジ４４は、図８および図６（ａ）〜（ｃ）に示すように、カバー側側壁部５９の上下方向Ｈにおける略中間から外側（反収容構成空間３４ｂ側）に向けてほぼ直角に突出した板状の連結部６１と、この連結部６１の外端下面から下側に突出するとともに、さらに外側に向けて突出した板状の挿入接着部６２と、から構成され、全体として段付き板状に形成されている。
【００７２】
挿入接着部６２とカバー側側壁部５９との間は、外側壁４８ｂの板厚Ｔ３よりも大きな間隔Ｄを空けて形成されており、ベース体３２とカバー体３３との組み付け状態においては、特に図６の（ａ）〜（ｃ）に示すように、挿入接着部６２と外側壁４８ｂとの間に接着剤４２が流動可能な隙間Ｃ１が連続して確保されている。
【００７３】
また、先に述べたように、挿入接着部６２の連結部６１からの高さＬ１は、外側壁４８ｂのフランジ底板５３からの高さＬ２よりも小さく形成されており、この関係は、特に図６（ａ）〜（ｃ）で示すように、接着フランジ部３５の長手方向で同じになっている。
【００７４】
このため、ベース体３２とカバー体３３との組み付け状態においては、特に図６の（ａ）〜（ｃ）に示すように、挿入接着部６２とフランジ底板５３との間に、接着剤４２が流動可能な隙間Ｃ２が連続して確保されている。
【００７５】
挿入接着部６２は、図８に示すように、その平面視において長方形状を呈しており、その長辺の外側（反収容構成空間３４ｂ）に当該挿入接着部６２の長手方向に沿って所定間隔毎にカバーフランジ溝部６４（特許請求の範囲の記載における接着剤案内溝に相当する）が形成されている。
【００７６】
また、挿入接着部６２の長辺の外側のうち、カバーフランジ溝部６４が形成されていない部位は、図６（ａ）〜（ｃ）に示すように、ベース体３２とカバー体３３との組み付け状態において、縦壁５４との間に接着剤４２が流動可能な隙間Ｃ３が確保されている。なお、挿入接着部６２は、その上面６５に、外側（縦壁５４側）に向かって徐々に下方Ｈｄに傾斜する傾斜面６６を備えている。
【００７７】
さらに、ベース体３２とカバー体３３の組み付け状態において、挿入接着部６２は、フランジ底板一般部５３ａに近接する挿入接着一般部６２ａと、当該挿入接着一般部６２ａよりもフランジ底板５３の板厚Ｔ４相当分、一段高く形成されることにより、フランジ底板上段部５３ｂに近接する挿入接着上段部６２ｂと、から構成されている。
【００７８】
なお、図６から明らかなように、挿入接着部６２は、接着剤貯留部５５よりも小さく形成されており、その全ての部位が接着剤貯留部５５に進入可能になっている。  
ここで、図８に示すように、挿入接着上段部６２ｂには、下方Ｈｄに向けてフランジ底板５３の板厚Ｔ４相当分突出した挿入接着凸部６７が形成されている。
【００７９】
この挿入接着凸部６７は、挿入接着上段部６２ｂの短手方向に連続するとともに、挿入接着上段部６２ｂの長手方向に一定間隔で形成されている。そして、当該挿入接着凸部６７の表面の形状は、フランジ底板凹溝５３ｃのそれとほぼ相似形を呈しているとともに、フランジ底板凹溝５３ｃよりも若干小さく形成されており、当該挿入接着凸部６７の根本６８は、カバーフランジ溝部６４に向かって緩やかに湾曲している。（図１０参照）
【００８０】
このように、挿入接着凸部６７の表面の形状は、フランジ底板凹溝５３ｃのそれとほぼ相似形を呈しているため、挿入接着部６２は、フランジ底板５３と、いわゆる波形状の隙間を空けて対向し、この波状の隙間で接着剤４２が硬化する。
【００８１】
このため、例えば、平面状で対向する場合よりも、挿入接着部６２とフランジ底板５３とが強固に固定される。また、カバーフランジ溝部６４に向かって緩やかに湾曲する根本６８は、硬化前の接着剤４２を円滑にカバーフランジ溝部６４に案内することとなる。
【００８２】
カバーフランジ溝部６４は、図５に示すように、平面視において内側（収容構成空間３４ｂ側）を頂部とする略二等辺三角形状を呈しており、言い換えるならば、カバーフランジ溝部６４は、平面視において、その幅が外側に向かって漸次拡大するように形成されており、図８に示すように、挿入接着上段部６２ｂの長手方向にほぼ均等な間隔で、当該カバーフランジ４４を上下方向Ｈに貫通して複数形成されている。
【００８３】
より具体的には、カバーフランジ溝部６４は、挿入接着上段部６２ｂにおいて、隣接する挿入接着凸部６７同士の間に、２つで一組となるようにそれぞれが近接するように形成されており、この一組となったカバーフランジ溝部６４が挿入接着上段部６２ｂの長手方向に均等な間隔で複数形成されている。
【００８４】
また、挿入接着部６２のうちカバーフランジ溝部６４が形成された部位は、図６（ａ）および図６（ｂ）に示すように、ベース体３２とカバー体３３との組み付け状態において、上述の隙間Ｃ１や、上述の隙間Ｃ３よりも大きな隙間Ｃ４が確保されている。
【００８５】
以下、ベース体３２とカバー体３３の組み付け工程および切断工程について、図９から図１３を用いて説明する。  
図９は、図５に示した接着フランジ部３５の接着工程を示す断面図であって、接着剤４２を貯留した状態のベースフランジ４３にカバーフランジ４４が近づいていく図である。図１０は、図９のカバーフランジ４４がベースフランジ４３に着座する直前の状態を示す断面図である。
【００８６】
図１１は、図１０のカバーフランジ４４およびベースフランジ４３の端面図であって、（ａ）は図１０のＡ−Ａ線に沿った図、（ｂ）は図１０のＢ−Ｂ線に沿った図、（ｃ）は図１０のＣ−Ｃ線に沿った図である。図１２は、図９のカバーフランジ４４がベースフランジ４３に着座した状態を示す図であって、図５のＤ−Ｄ線に沿った断面図である。図５に示す接着フランジ部３５の切断工程を示す斜視図であって、（ａ）は切断工程におけるサブ制御ユニット１２単体での斜視図、（ｂ）は（ａ）に示す要部φ１の拡大図、（ｃ）は（ａ）の要部φ２の拡大図である。
【００８７】
上述のように構成したベース体３２とカバー体３３とは、先ず制御基板３１を図示外のネジを用いてカバー体３３に組み付ける。  
続いて、ベース体３２に接着剤４２を貯留し、ベース体３２とカバー体３３とを組み付け、最後に、図示外の紫外線照射装置を用いて接着剤４２を硬化させる。
【００８８】
より具体的には、図９に示すように、接着剤貯留部５５に接着剤４２を貯留し、カバーフランジ４４をベースフランジ４３に向けて（下方Ｈｄに向けて）組み付けていく。そして、図１２に示すように、挿入接着部６２は、フランジ底板５３と上下方向Ｈで重なり合うとともに、縦壁５４や外側壁４８ｂと水平方向（上下方向Ｈに直交する方向）で重なり合い、これら重なり合った部位の隙間Ｃ１，Ｃ２，Ｃ３，Ｃ４で接着剤４２が硬化することとなる。
【００８９】
この場合において、図１０に示すように、カバーフランジ４４がベースフランジ４３に着座する直前の状態、すなわち、図１１（ａ）〜（ｃ）に示すベースフランジ４３側の外側壁４８ｂの頂部５２とカバーフランジ４４側の連結部６１の下面６１ａとが当接する直前の状態では、接着剤貯留部５５は、挿入接着部６２によって上下に画成され、接着剤４２は、挿入接着部６２に加圧されることとなる。
【００９０】
そして、加圧された接着剤４２は、縦壁５４や外側壁４８ｂと挿入接着部６２との対向部分の隙間（具体的には図６のＣ１，Ｃ３，Ｃ４で示す隙間）に流れることとなる。
【００９１】
ここで、先に述べたように、外側壁４８ｂは、その高さＬ２が挿入接着部６２の高さＬ１よりも大きく形成され（Ｌ２＞Ｌ１）、外側壁４８ｂの頂部５２と連結部６１の下面６１ａとが当接することから、接着剤４２の移動が外側壁４８ｂによって規制され、この結果として、接着フランジ部３５は、外側壁４８ｂの外側面よりも外側が接着部分Ｘとなり、同時に、外側壁４８ｂの外側面よりも内側が非接着部分Ｙとなる。つまり、接着フランジ部３５は、外側壁４８ｂによって、接着部分Ｘと非接着部分Ｙに区分されることとなる。
【００９２】
また、先に述べたように、外側壁４８ｂは、内側壁４８ａのほぼ板厚Ｔ１分、内側壁４８ａよりも外側（反収容構成空間３４ａ側）にオフセットするように形成されており、外側壁４８ｂと連結部６１の根本部６１ｂとの間に、ほぼ板厚Ｔ１分に相当する隙間Ｃ５を確保してあるため、仮に外側壁４８ｂの頂部５２と連結部６１の下面６１ａとの間に接着剤４２が侵入した場合であっても、接着剤４２が根本部６１ｂに到達することはない。
【００９３】
さらに、外側壁４８ｂを、内側壁４８ａのほぼ板厚Ｔ１分、内側壁４８ａよりも外側（反収容構成空間３４ａ側）にオフセットさせることにより、外側壁４８ｂと内側壁４８ａの境界内側に段部４８ｃが形成され、上記隙間Ｃ５に逃げることとなる接着剤４２をこの段部４８ｃで受けることが出来る。
【００９４】
また、先に述べたように、外側壁４８ｂは、その頂部５２の外端部５２ａがほぼ直角に形成されていることから、外側壁４８ｂの頂部５２と連結部６１の下面６１ａとの間への接着剤４２の侵入防止を図ることができる。  一方、外側壁４８ｂの頂部５２の内端部５２ｂが円弧状に、つまり、頂部５２と連結部６１との間隔が隙間Ｃ５側に向かって漸次拡大していくように形成されていることから、外側壁４８ｂの頂部５２と連結部６１の下面６１ａとの間に接着剤４２が侵入した場合であっても、その接着剤４２を円滑に隙間Ｃ５に逃がすことが出来る。
【００９５】
一方で、先に述べたように、接着剤４２は、接着剤貯留部５５を構成する内壁面と挿入接着部６２との対向部分の隙間（具体的には図６のＣ１，Ｃ３，Ｃ４で示す隙間）に流れることとなるが、主に縦壁５４と挿入接着部６２との間にあるカバーフランジ溝部６４によって上方Ｈｕに案内されて（図１１（ａ）参照）、挿入接着部６２の上面６５側に到達し（図１２参照）、先に述べた紫外線照射装置（図示外）によって硬化することとなる。
【００９６】
この場合において、カバーフランジ溝部６４は、上述のように、挿入接着上段部６２ｂの長手方向にほぼ均等な間隔で複数形成されていることから、接着剤４２も挿入接着上段部６２ｂの長手方向にほぼ均等な間隔で接着剤貯留部５５の下方Ｈｄから上方Ｈｕに複数に分岐するようにして案内されていくこととなる。
【００９７】
また、カバーフランジ溝部６４は、先に述べたように、平面視において内側を頂部５２とする略二等辺三角形状を呈していることから、隣接するわずかな隙間Ｃ３（図６参照）に適度に浸透して行くことになる。換言すると、カバーフランジ溝部６４は、上方Ｈｕへの接着剤案内効果に加えて、水平方向つまり横方向の案内効果も発揮することとなる。
【００９８】
また、挿入接着部６２の上面６５は、先に述べたように、外側に向かって徐々に下がるように傾斜する傾斜面６６を備えている。このため、上面６５に到達した接着剤４２は、外側に溜まり易くなっており、硬化した状態においては、同じく外側に形成されたカバーフランジ溝部６４を十分な厚みをもって覆うこととなる。  
【００９９】
つまり、傾斜面６６によって、カバーフランジ溝部６４を比較的少量の接着剤４２で保護することができる。同時に、上面６５に到達した接着剤４２が、外側に溜まり易くなることで、接着剤４２の外側壁４８ｂ側への過度な移動を防止している。
【０１００】
次に、ベース体３２とカバー体３３の分解工程について図１３（ａ）〜（ｃ）を用いて説明する。
【０１０１】
先ず、サブ制御ユニット１２を図示外の治具を用いて固定する。続いて、図１３（ａ）に示すように、回転盤が装着された切断工具６９を用いて接着フランジ部３５の長手方向に沿って切断していく。
【０１０２】
より具体的には、接着フランジ部３５のうち、カバーフランジ４４の連結部６１を、非接着部分Ｙの範囲内にあるとともに、隙間Ｃ５に臨む切断仮想線Ｚ１に沿って切断していく。
【０１０３】
これにより、接着フランジ部３５は、カバー体３３から分離され、ベース体３２とカバー体３３とが、容易に分解可能となる。
【０１０４】
なお、接着フランジ部３５は、上述のように、連結部６１における非接着部分Ｙの範囲内のうち、隙間Ｃ５に臨む部位だけに限らず、非接着部分Ｙに相当する部分の接着フランジ部３５を切断すればよく、例えば、図１３（ｂ）に示す切断仮想線Ｚ２に沿って、カバーフランジ４４における外側壁４８ｂごと切断してもよい。
【０１０５】
以上のように説明した本実施形態にあっては、以下の効果を得られる。  
（１）接着剤貯留部５５における外側壁４８ｂ（貯留内側壁部）の高さＬ２を連結部６１の高さＬ１よりも高くする（Ｌ２＞Ｌ１）。
【０１０６】
このため、先に述べたように、ベース体３２（第１ケース）とカバー体３３（第２ケース）の組み付け時には、外側壁４８ｂの頂部５２と連結部６１の下面６１ａとが当接することから、接着剤４２の移動が外側壁４８ｂによって規制される。
【０１０７】
これにより、接着フランジ部３５（接着保持部）は、外側壁４８ｂによって、接着部分Ｘと非接着部分Ｙに区分され、非接着部分Ｙを切断するだけで容易にカバー体３３とケース体３２とが分離可能となる。  
したがって、以上のように構成された制御基板ケース３０によれば、収容部３４に収容した制御基板３１を傷付けることなく安全に回収することができる。
【０１０８】
（２）外側壁４８ｂの頂部５２を平面状に形成するとともに、連結部６１の下面６１ａも平面状に形成し、これら頂部５２と下面６１ａとが密着するように当接可能となる。  
これにより、例えば、外側壁４８ｂと連結部６１とが僅かに当接する場合と比較して、非接着部分Ｙを多く確保することができる。  
したがって、上記（２）の制御基板ケース３０によれば、ベース体３２とカバー体３３とを分解する作業の作業効率が向上するとともに、当該分解作業の容易化も図ることが出来る。
【０１０９】
（３）外側壁４８ｂの頂部５２のうち、接着剤４２に臨む外端部５２ａをほぼ直角に形成する。  
これにより、先に述べたように、外側壁４８ｂの頂部５２と連結部６１の下面６１ａとの間への接着剤４２の侵入防止を図ることができる。  
したがって、上記（３）の制御基板ケース３０によれば、非接着部分Ｙを十分に確保できる。
【０１１０】
（４）外側壁４８ｂと、連結部６１の根本部６１ｂとの間には、少なくとも内側壁４８ａの板厚Ｔ１と同等程度の間隔を有する隙間Ｃ５が確保されている。  
これにより、先に述べたように、仮に外側壁４８ｂの頂部５２と連結部６１の下面６１ａとの間に接着剤４２が侵入した場合であっても、接着剤４２が根本部６１ｂ到達することが防止される。  
したがって、上記（４）の制御基板ケース３０によれば、非接着部分Ｙを十分に確保できる。
【０１１１】
（５）外側壁４８ｂの頂部５２のうち、接着剤４２に臨む外端部５２ａをほぼ直角に形成する一方、隙間Ｃ５に臨む内端部５２ｂを、頂部５２と連結部６１との間隔が隙間Ｃ５側に向かって漸次拡大していくように形成した。  
これにより、先に述べたように、外側壁４８ｂの頂部５２と連結部６１の下面６１ａとの間への接着剤４２の侵入防止を図ることができる。一方、外側壁４８ｂの頂部５２と連結部６１の下面６１ａとの間に接着剤４２が侵入した場合であっても、その接着剤４２を円滑に隙間Ｃ５に逃がすことが出来る。  
したがって、上記（５）の制御基板ケース３０によれば、非接着部分Ｙを十分に確保できる。
【０１１２】
（６）挿入接着部６２のうち、反収容構成空間３４ｂ側に上下方向に貫通するカバーフランジ溝部６４を形成した。  
これにより、硬化前の接着剤４２の、外側壁４８ｂの頂部５２と、連結部６１の下面６１ａとの間への過剰な移動が抑制される。  
したがって、上記（６）の制御基板ケース３０によれば、非接着部分Ｙを十分に確保できる。
【０１１３】
続いて、上述した制御基板ケース３０の変形例について、図１４を用いて説明する。  
本変形例においては、挿入接着部６２ｚが前述の実施形態と相違しており、他のものについては同一の構成となっている。このため、挿入接着部６２ｚ以外のものについては前述の実施形態と同一の符号を付することにより詳細な説明は省略する。
【０１１４】
すなわち、本変形例において、挿入接着部６２ｚは、連結部６１の外端下面からほぼ直角に突出した縦板部６２ｘと、この縦板部６２ｘの下端外面からほぼ直角に突出した横板部６２ｙと、から構成され、全体として縦断面逆Ｌ字形状を呈している。
【０１１５】
そして、外側壁４８ｂのフランジ底板５３からの高さＬ２は、ベース体３２とカバー体３３との組付け状態において、横板部６２ｙの上面６５ｚからフランジ底板５３までの高さＬ３よりも大きく形成されている（Ｌ２＞Ｌ３）。
【０１１６】
これにより、連結部６１と外側壁４８ｂとの間に接着剤４２が侵入する前に、上面６５ｚまで接着剤４２が到達することから、接着剤４２の非接着部分Ｙ側への移動が抑制され、非接着部分Ｙが前述の実施形態のＹよりも多く形成されやすくなっている。
【０１１７】
なお、挿入接着部６２ｚは、本変形例においても、横板部６２ｙの上面６５ｚの外端側に傾斜面６６ｚを備えたことにより、横板部６２ｙを、比較的少量の接着剤４２で保護することができることは言うまでもない。
【符号の説明】
【０１１８】
１…スロットマシン（遊技機）
３０…制御基板ケース（遊技機用制御基板ケース）
３１…制御基板
３２…ベース体（第１ケース）
３３…カバー体（第２ケース）
３４…収容部（内部スペース）
３５…接着フランジ部（接着保持部）
４２…接着剤
４３…ベースフランジ（第１ケース側の接着構成部）
４４…カバーフランジ（第２ケース側の接着構成部）
４７…底板
４８…ベース側側壁部（第１ケース側の側壁）
４８ｂ…外側壁（貯留内側壁部）
５２…頂部
５２ａ…外端部
５２ｂ…内端部
５５…接着剤貯留部
５９…カバー側側壁部（第２ケース側の側壁）
６１…連結部
６１ａ…下面
６１ｂ…根本部
６２…挿入接着部
６４…カバーフランジ溝部（接着剤案内溝）
【要約】
【課題】本発明は、制御基板を傷付けることなく安全に回収することができる遊技機用制御基板ケースを提供する。
【解決手段】ベース体３２に、ベース側側壁部４８から突出するベースフランジ４３を形成し、カバー体３３に、カバー側側壁部５９から突出するカバーフランジ４４を形成し、ベースフランジ４３に、接着剤４２を貯留可能な接着剤貯留部５５を形成し、カバーフランジ４４に、連結部６１およびカバーフランジ側壁６３を介してカバー側側壁部５９に連結された挿入接着部６２を形成し、挿入接着部６２の収容部３４側に位置する外側壁４８ｂを、カバーフランジ側壁６３よりも高く形成し、ベース体３２とカバー体３３の組み付け状態において、外側壁４８ｂの頂部５２と、連結部６１の下面６１ａとを当接して、接着剤貯留部５５に貯留される接着剤４２の収容部３４側への移動が規制している。
【選択図】図６【図１】
0005826340.tif 000002
【図２】
0005826340.tif 000003
【図３】
0005826340.tif 000004
【図４】
0005826340.tif 000005
【図５】
0005826340.tif 000006
【図６】
0005826340.tif 000007
【図７】
0005826340.tif 000008
【図８】
0005826340.tif 000009
【図９】
0005826340.tif 000010
【図１０】
0005826340.tif 000011
【図１１】
0005826340.tif 000012
【図１２】
0005826340.tif 000013
【図１３】
0005826340.tif 000014
【図１４】
0005826340.tif 000015